(57)【特許請求の範囲】
【請求項１】
室内の空気の状態を検出するセンサを備え、前記センサの検出値がしきい値を超えた場合に換気扇の運転を開始するように制御する自動運転制御手段を備えた換気扇の制御装置において、
前記自動運転制御手段は、前記センサに対して設定時間が経過する毎に通電して検出動作を行わせ、自動運転時における換気扇の停止中は前記設定時間を短く、換気扇の運転中は前記設定時間を長くするように制御することを特徴とする換気扇の制御装置。
【請求項２】
室内の空気の状態を検出するセンサを備え、前記センサの検出値がしきい値を超えた場合に換気扇の運転を開始するように制御する自動運転制御手段を備えた換気扇の制御装置において、
前記自動運転制御手段は、前記センサに対して設定時間が経過する毎に通電して検出動作を行わせ、自動運転時における換気扇の停止中は前記設定時間を短く、換気扇の運転中は前記設定時間を長くするように制御すると共に、自動運転時の少なくとも停止中において、センサの検出値としきい値との差が基準値以上の場合は、設定時間を長くすることを特徴とする換気扇の制御装置。
【請求項３】
室内の空気の状態を検出するセンサを備え、前記センサの検出値がしきい値を超えた場合に換気扇の運転を開始するように制御する自動運転制御手段を備えた換気扇の制御装置において、
前記自動運転制御手段は、前記センサに対して設定時間が経過する毎に通電して検出動作を行わせ、自動運転時における換気扇の停止中は前記設定時間を短く、換気扇の運転中は前記設定時間を長くするように制御すると共に、自動運転時の少なくとも停止中において、センサの検出値の変化量が基準値以上の場合は設定時間を長くすることを特徴とする換気扇の制御装置。
【請求項４】
室内の空気の状態を検出するセンサを備え、前記センサの検出値がしきい値を超えた場合に換気扇の運転を開始するように制御する自動運転制御手段を備えた換気扇の制御装置において、
前記自動運転制御手段は、前記センサに対して設定時間が経過する毎に通電して検出動作を行わせ、自動運転時の少なくとも換気扇の停止中において、センサの検出値としきい値との差が基準値以上で且つセンサの検出値の変化量が基準値未満の場合は設定時間を長くすると共に、センサの検出値としきい値との差が基準値未満で且つセンサの検出値の変化量が基準値以上の場合は設定時間を短くすることを特徴とする換気扇の制御装置。
【請求項５】
室内の空気の状態を検出するセンサを備え、前記センサの検出値がしきい値を超えた場合に換気扇の運転を開始するように制御する自動運転制御手段を備えた換気扇の制御装置において、
前記自動運転制御手段は、前記センサに対する通電による検出動作を、換気扇の自動運転時の停止中は連続的に行い、自動運転時の運転中は設定時間が経過する毎に行うように制御することを特徴とする換気扇の制御装置。
【発明の詳細な説明】
【０００１】
【発明の属する技術分野】
本発明は、室内の空気の状態を検出するセンサの検出値に応じて自動運転を行うように制御する換気扇の制御装置に関する。
【０００２】
【従来の技術】
従来より、換気扇の制御装置としては、温度センサ，湿度センサ等のセンサを設けて、このセンサに常時通電することにより検出動作を行なわせ、センサの検出値がしきい値を超えたときに換気扇の運転を開始させる構成のものがある。
【０００３】
【発明が解決しようとする課題】
この様な換気扇の制御装置において使用されるセンサの寿命は、一般に、センサに対する通電時間に反比例するので、従来のように常時通電する構成では寿命が短くなり、また、消費電力も多くなる問題がある。
【０００４】
尚、この様な問題を解消するためには、センサに断続的に通電することも考えられるが、センサに断続的に通電する場合の断電時間を長くすると、室内の空気の状態として例えばガスコンロを使用して温度が急速に変化した時には、それに応じて直ぐに換気扇の運転を開始することができなくなり、室内の温度の変化に対する追従性に問題が生ずる。
【０００５】
本発明は上記課題を解決するものであり、その目的は、センサの長寿命化を図ることができると共に、省電力化を図ることができ、しかも、追従性を極力良くすることができる換気扇の制御装置を提供することにある。
【０００６】
【課題を解決するための手段】
上記目的を達成するため、請求項１記載の換気扇の制御装置は、室内の空気の状態を検出するセンサを備え、センサの検出値がしきい値を超えた場合に換気扇の運転を開始するように制御する自動運転制御手段を備えたものにおいて、自動運転制御手段は、センサに対して設定時間が経過する毎に通電して検出動作を行わせ、自動運転時における換気扇の停止中は設定時間を短く、換気扇の運転中は設定時間を長くするように制御することを特徴とする。
【０００７】
請求項２記載の換気扇の制御装置は、室内の空気の状態を検出するセンサを備え、センサの検出値がしきい値を超えた場合に換気扇の運転を開始するように制御する自動運転制御手段を備えたものにおいて、自動運転制御手段は、センサに対して設定時間が経過する毎に通電して検出動作を行わせ、自動運転時における換気扇の停止中は設定時間を短く、換気扇の運転中は設定時間を長くするように制御すると共に、自動運転時の少なくとも停止中において、センサの検出値としきい値との差が基準値以上の場合は、設定時間を長くすることを特徴とする。
【０００８】
請求項３記載の換気扇の制御装置は、室内の空気の状態を検出するセンサを備え、センサの検出値がしきい値を超えた場合に換気扇の運転を開始するように制御する自動運転制御手段を備えたものにおいて、自動運転制御手段は、センサに対して設定時間が経過する毎に通電して検出動作を行わせ、自動運転時における換気扇の停止中は設定時間を短く、換気扇の運転中は設定時間を長くするように制御すると共に、自動運転時の少なくとも停止中において、センサの検出値の変化量が基準値以上の場合は設定時間を長くすることを特徴とする。
【０００９】
請求項４記載の換気扇の制御装置は、室内の空気の状態を検出するセンサを備え、センサの検出値がしきい値を超えた場合に換気扇の運転を開始するように制御する自動運転制御手段を備えたものにおいて、自動運転制御手段は、センサに対して設定時間が経過する毎に通電して検出動作を行わせ、自動運転時の少なくとも換気扇の停止中において、センサの検出値としきい値との差が基準値以上で且つセンサの検出値の変化量が基準値未満の場合は設定時間を長くすると共に、センサの検出値としきい値との差が基準値未満で且つセンサの検出値の変化量が基準値以上の場合は設定時間を短くすることを特徴とする。
【００１３】
請求項５記載の換気扇の制御装置は、室内の空気の状態を検出するセンサを備え、センサの検出値がしきい値を超えた場合に換気扇の運転を開始するように制御する自動運転制御手段を備えたものにおいて、自動運転制御手段は、センサに対する通電による検出動作を、換気扇の自動運転時の停止中は連続的に行い、自動運転時の運転中は設定時間が経過する毎に行うように制御することを特徴とする。
【００１４】
【発明の実施の形態】
以下、本発明を台所において調理器具たるガスコンロの上方に配置される台所用換気扇に適用した場合の第１実施例について、図１乃至図３を参照して説明する。電気的構成を示す図３において、制御手段たるマイクロコンピュータ（以下、マイコンと称す）１の出力端子は、センサ駆動回路２の入力端子に接続されており、マイコン１は、センサ駆動回路２に制御信号を与えるようになっている。そのセンサ駆動回路２の出力端子は、センサたる温度センサ３の入力端子に接続されており、センサ駆動回路２は、マイコン１により与えられる制御信号に応じて、温度センサ３に駆動用電源を供給するようになっている。また、温度センサ３の出力端子は、マイコン１の入力端子に接続されており、温度センサ３は、室（台所）内の空気の状態たる温度を検出してマイコン１に与え、マイコン１は、その検出値をＡ／Ｄ変換して読込むようになっている。
【００１５】
運転モード選択スイッチ４の出力端子は、マイコン１の入力端子に接続されており、運転モード選択スイッチ４は、使用者の操作によって、換気扇の運転モードを手動／自動に切替える選択信号をマイコン１に与えるようになっている。また、設定手段たる設定キー５の出力端子は、マイコン１の入力端子に接続されており、設定キー５は、使用者の操作によって、換気扇の運転を開始させるしきい値の設定を変更する設定信号をマイコン１に与えるようになっている。
【００１６】
マイコン１の出力端子は、表示部６の入力端子に接続されており、マイコン１は、表示部６に対して、運転モード選択スイッチ４により選択された換気扇の運転モードを表示させるようになっている。また、マイコン１の出力端子は、モータ駆動回路７を介してモータ８の入力端子に接続されており、マイコン１は、モータ駆動回路７に制御信号を与えてモータ８を駆動させ、モータ８の回転軸に取付けられた図示しないファンを回転させて換気扇を運転させるようになっている。以上が制御装置９を構成している。
【００１７】
次に、第１実施例の作用について図１及び図２をも参照して説明する。マイコン１の制御内容のフローチャートを示す図１では、運転モード選択スイッチ４によって自動運転モードが選択されると、先ず、「センサＯＮ」の処理ステップＳ１において、マイコン１は、センサ駆動回路２に制御信号を与えて温度センサ３に通電してＯＮ状態にする。そして、次の「検出値ｄを得る」の処理ステップＳ２に移行する。
【００１８】
処理ステップＳ２において、マイコン１は、図２（ａ）▲１▼に示すように、温度センサ３に時間ｔ１（例えば０．５秒）だけ通電して、その間に複数回サンプリングした温度の平均を求めて検出値ｄを得ると、次の「センサＯＦＦ」の処理ステップＳ３に移行して、温度センサ３への通電を停止する。これは、温度センサ３が、何等かの突発的な原因による室内の瞬時的な温度の上昇を感知したことにより換気扇を運転開始させないように（誤検出防止のため）、平均的な値として検出値ｄを得るためである。そして、「計時開始」の処理ステップＳ４に移行する。
【００１９】
処理ステップＳ４においては、マイコン１は、内部の図示しないシステムタイマによるタイマ割込み回数を計時用のカウンタ（図示せず）によりカウントするなどして、ステップＳ３において温度センサ３の通電を停止した時点からの経過時間の計時を開始する。そして、「ｄ＞Ｄ？」の判断ステップＳ５に移行する。判断ステップＳ５においては、マイコン１は、ステップＳ２で得た温度センサ３の検出値ｄが、予め設定され記憶されているしきい値Ｄを超えているか否かを判断する。検出値ｄがしきい値Ｄ以下であり、判断ステップＳ４において「ＮＯ」と判断すると、「停止」の処理ステップＳ９に移行して、換気扇を停止状態に保つ。そして、「ｔ２経過？」の判断ステップＳ１０に移行する。
【００２０】
判断ステップＳ１０においては、マイコン１は、ステップＳ４において計時を開始した経過時間が設定時間ｔ２（例えば３０秒）を超えるまで待つ。この設定時間ｔ２は、換気扇の停止中において、温度センサ３に対する断電時間として設定されている時間である（図２（ａ）▲２▼参照）。経過時間が設定時間ｔ２を超えて「ＹＥＳ」と判断すると、「カウンタクリア」の処理ステップＳ８に移行して、計時用のカウンタをゼロクリアすると、ステップＳ１に移行して再び温度センサ３に通電する。
【００２１】
以上の処理が、マイコン１が判断ステップＳ５において「ＮＯ」と判断している間繰返し実行されることにより、換気扇の自動運転時の停止中は、温度センサ３は設定時間ｔ２の断電時間をもって断続的に通電される。
【００２２】
而して、ガスコンロが着火されて使用開始されることにより、ガスコンロ上方の温度が上昇し、温度センサ３の検出値ｄがしきい値Ｄを超えてマイコン１が判断ステップＳ５において「ＹＥＳ」と判断すると、「運転」の処理ステップＳ６に移行する。処理ステップＳ６においては、マイコン１は、モータ駆動回路７に制御信号を与えてモータ８を駆動させ、換気扇の運転を開始する（図２（ｂ）▲３▼参照）。その後、「ｔ３経過？」の判断ステップＳ７に移行する。
【００２３】
判断ステップＳ７において、マイコン１は、ステップＳ４において計時を開始した経過時間が設定時間ｔ３（例えば２分）を超えるまで待つ。この設定時間ｔ３は、換気扇の運転中における温度センサ３に対する断電時間として、停止中の設定時間ｔ２よりも大に設定されている（図２（ａ）▲４▼参照）。経過時間が設定時間ｔ３を超えて「ＹＥＳ」と判断すると、「カウンタクリア」の処理ステップＳ８に移行して、計時用のカウンタをゼロクリアした後、ステップＳ１に移行する。
【００２４】
以降、ステップＳ５において「ＹＥＳ」と判断している間は、ステップＳ１乃至Ｓ８のループを繰返す。そして、ガスコンロの使用が終了した後に温度が低下して、温度センサ３の検出値ｄがしきい値Ｄ以下になり、ステップＳ５においてマイコン１が「ＮＯ」と判断すると、再びステップＳ９に移行して換気扇の運転を停止させて、その後は、またステップＳ１乃至Ｓ５，Ｓ９，Ｓ１０及びＳ８のループを繰返すので、温度センサ３に対する断電時間は、再び設定時間ｔ２となる。
【００２５】
ここで、換気扇の自動運転の停止中における断電時間の設定時間ｔ２を相対的に短く設定するのは、ガスコンロの使用開始による急激な室内の温度の変化に対応して、迅速に換気扇の運転を開始させるためである。また、換気扇の自動運転の運転中における断電時間の設定時間ｔ３を相対的に長く設定するのは、通常、換気扇は、ガスコンロなどを使用しながら運転されるものであり、従って、ガスコンロなどの使用中は、その上方の温度は急激に変化せず、マイコン１は、ガスコンロなどを使用停止した後の残置運転的な領域において温度が低下した時に、その変化を感知すれば良いからである。
【００２６】
以上のように本実施例によれば、マイコン１は、温度センサ３の検出値ｄがしきい値Ｄを超えた場合に換気扇の運転を開始させるように制御すると共に、換気扇の温度センサ３による自動運転時の停止中は温度センサ３に対する断電時間を短い設定時間ｔ２に設定し、自動運転時の運転中は温度センサ３に対する断電時間を長い設定時間ｔ３に設定して、温度センサ３に対して通電を断続的に行うので、従来技術に比して、温度センサ３の寿命を長期化させることができ、また、温度センサ３による電力消費を低減させることもできる。
【００２７】
しかも、設定時間ｔ２，ｔ３を（ｔ２＜ｔ３）のように設定したので、室内の温度の急激な変化に対しても換気扇の運転をそれ程の遅れをなくして開始させることができ、追従性を極力良くすることができる。
【００２８】
図４は、本発明の第２実施例を示すものであり、図１と異なる部分のみ説明する。また、第２実施例の構成は第１実施例と同様であり、以下、異なる作用について説明する。マイコン１の制御内容のフローチャートを示す図４においては、判断ステップＳ５において「ＮＯ」と判断した場合は、第１実施例と同様にステップＳ９に移行した後、「ｄ≦Ｄ−α？」の判断ステップＳ１１に移行する。
【００２９】
判断ステップＳ１１においては、マイコン１は、温度センサ３の検出値ｄが、しきい値Ｄより基準値αを減じた値以下であるか否かを判断する。判断ステップＳ１１において、検出値ｄがＤ−αを超えていて「ＮＯ」と判断すると、判断ステップＳ１０に移行して、第１実施例と同様に換気扇の自動運転時の停止中における温度センサ３の断電時間は設定時間ｔ２に設定される。
【００３０】
また、マイコン１は、判断ステップＳ１１において、検出値ｄがＤ−α以下であり「ＹＥＳ」と判断すると、「ｔ４経過？」の判断ステップＳ１２に移行する。判断ステップＳ１２においては、温度センサ３の断電時間は、設定時間ｔ２よりも大なる設定時間ｔ４（例えば２分）に設定されて、その設定時間ｔ４が経過するまで待つ。これは、温度センサ３の検出値ｄは、Ｄ−α以下であれば、しきい値Ｄとは基準値α以上の差があり、室内の温度が急激に変化しても、検出値ｄが短時間（設定時間ｔ２）の内にしきい値Ｄを超えることはないと予想されるので、断電時間をより長い設定時間ｔ４にしても問題ないからである。そして、ステップＳ１２において「ＹＥＳ」と判断すると、ステップＳ８に移行して計時用のカウンタをゼロクリアする。
【００３１】
一方、判断ステップＳ５において「ＹＥＳ」と判断した場合は、第１実施例と同様にステップＳ６に移行した後、「ｄ≧Ｄ＋α？」の判断ステップＳ１３に移行する。判断ステップＳ１３においては、マイコン１は、温度センサ３の検出値ｄが、しきい値Ｄに基準値αを加えた値以上であるか否かを判断する。判断ステップＳ１３において、検出値ｄがＤ＋α未満であり「ＮＯ」と判断すると、判断ステップＳ７に移行して、第１実施例と同様に換気扇の運転中における温度センサ３の断電時間は設定時間ｔ３に設定される。
【００３２】
また、判断ステップＳ１３において、検出値ｄがＤ＋α以上であり「ＹＥＳ」と判断すると、「ｔ５経過？」の判断ステップＳ１４に移行する。判断ステップＳ１４においては、温度センサ３の断電時間は、設定時間ｔ３よりも大なる設定時間ｔ５（例えば５分）に設定されて、その設定時間ｔ５が経過するまで待つ。これは、温度センサ３の検出値ｄがＤ＋α以上であれば、換気扇を運転しても、検出値ｄが短時間（設定時間ｔ３）の内にしきい値Ｄを下回ることはないと予想されるので、断電時間をより長い設定時間ｔ５にしても問題ないからである。そして、ステップＳ１４において「ＹＥＳ」と判断すると、ステップＳ８に移行して計時用のカウンタをゼロクリアする。
【００３３】
以上のように第２実施例によれば、マイコン１は、換気扇の自動運転時の停止中において温度センサ３の検出値ｄを、しきい値Ｄから基準値αを減じた値と比較して、ｄ≦Ｄ−αであれば断電時間を設定時間ｔ２より大なる設定時間ｔ４に設定し、また、換気扇の自動運転時の運転中において、温度センサ３の検出値ｄをしきい値Ｄに基準値αを加えた値と比較して、ｄ≧Ｄ＋αであれば断電時間を設定時間ｔ３より大なる設定時間ｔ５に設定するようにしたので、室内の温度がしきい値Ｄの近傍にない場合は、温度センサ３に対する断電時間をより長くすることにより、室内の温度の変化に対する追従性を低下させること無く、温度センサ３をより長寿命化することができ、また、より省電力化を図ることができる。図５は本発明の第３実施例を示すものであり、図３と異なる部分のみ説明する。また、第３実施例の構成は第１実施例と同様であり、以下、異なる作用について説明する。マイコン１の制御内容のフローチャートを示す図５においては、「計時開始」のステップＳ４から、「Δｄを演算」の処理ステップＳ１５に移行する。処理ステップＳ１５においては、マイコン１は、ステップＳ２で得た、温度センサ３の今回の検出値ｄと前回の検出値ｄ´との差をとって変化量Δｄを得る。即ち、Δｄ＝ｄ−ｄ´を演算する。そして、「ｄをｄ´に代入」の処理ステップＳ１６に移行する。
【００３４】
処理ステップＳ１６においては、マイコン１は、ステップＳ２で得た温度センサ３の今回の検出値ｄを、次回のステップＳ１５での演算に使用するため、変数ｄ´に代入して、マイコン１内部の図示しないＲＡＭの所定領域に記憶させる。すると、ステップＳ５に移行する。
【００３５】
そして、第２実施例における判断ステップＳ１１は、「Δｄ≧β？」の判断ステップＳ１７に置き換っている。判断ステップＳ１７においては、マイコン１は、ステップＳ１５で得た変化量Δｄが、基準値β以上であるか否かを判断する。判断ステップＳ１７において、変化量Δｄが基準値β以上であり「ＹＥＳ」と判断すると、ステップＳ１０に移行して断電時間を設定時間ｔ２に設定する。また、判断ステップＳ１７において、変化量Δｄが基準値β未満であり「ＮＯ」と判断すると、ステップＳ１２に移行して断電時間を設定時間ｔ４に設定し、その設定時間ｔ４が経過するまで待つ。
【００３６】
これは、換気扇の停止中において、温度センサ３の検出値ｄの変化量Δｄが基準値β未満であり室内の温度が急激に変化していない場合は、検出値ｄが短時間内にしきい値Ｄを超える可能性が低いので、温度センサ３に対する断電時間を長い設定時間ｔ４に設定しても問題ないからである。
【００３７】
また、第２実施例における判断ステップＳ１１は、「Δｄ≦−β？」の判断ステップＳ１８に置き換っている。判断ステップＳ１８においては、マイコン１は、ステップＳ１５で得た変化量Δｄが、設定値−β以下であるか（負の方向に基準値β以上変化したか）否かを判断する。判断ステップＳ１８において、変化量Δｄが設定値−β以下であり「ＹＥＳ」と判断すると、マイコン１は、ステップＳ７に移行して断電時間を設定時間ｔ３に設定し、設定時間ｔ３が経過するまで待つ。また、判断ステップＳ１８において、変化量Δｄが設定値−β未満であり「ＮＯ」と判断すると、ステップＳ１４に移行して断電時間を設定時間ｔ５に設定する。
【００３８】
これは、換気扇の運転中において、温度センサ３の検出値ｄの変化量Δｄが負の方向に基準値β未満であり室内の温度が急激に変化していない場合は、検出値ｄが短時間内にしきい値Ｄを下回る可能性が低いので、温度センサ３に対する断電時間を長い設定時間ｔ５に設定しても問題ないからである。
【００３９】
以上のように第３実施例によれば、マイコン１は、温度センサ３の今回の検出値ｄと前回の検出値ｄ´との差をとって変化量Δｄを得て、換気扇の自動運転時の停止中における変化量Δｄが基準値β以上の場合は温度センサ３に対する断電時間を短い設定時間ｔ２に設定し、変化量Δｄが基準値β未満の場合は断電時間を長い設定時間ｔ４に設定するので、室内の温度の変化量に応じて断電時間を適宜設定することにより、第２実施例と同様の効果が得られる。
【００４０】
図６は本発明の第４実施例を示すものであり、図５と異なる部分のみ説明する。また、第４実施例の構成は第１実施例と同様であり、以下、異なる作用について説明する。マイコン１の制御内容のフローチャートを示す図６においては、ステップＳ６及びＳ９の次は、「｜ｄ−Ｄ｜≧α？」の判断ステップＳ１９に移行する。
【００４１】
判断ステップＳ１９においては、マイコン１は、換気扇の自動運転時の運転中及び停止中における温度センサ３の検出値ｄとしきい値Ｄとの差の絶対値が基準値α以上であるか否かを判断する。判断ステップＳ１９において、｜ｄ−Ｄ｜が基準値α未満であり「ＮＯ」と判断すると、「｜Δｄ｜≧β？」の判断ステップＳ１７′に移行する。そして、ステップＳ１７′において、ステップＳ１５で得た変化量Δｄの絶対値｜Δｄ｜が基準値β以上であり「ＹＥＳ」と判断すると、「ｔ８経過？」の判断ステップＳ２０に移行する。
【００４２】
判断ステップＳ２０においては、マイコン１は、温度センサ３に対する断電時間を設定時間ｔ８（例えば３０秒）に設定して、その設定時間ｔ８が経過するまで待つ。この状態は、温度センサ３の検出値ｄがしきい値Ｄの近傍で且つ変化量Δｄが大きい場合であり、検出値ｄが短時間内にしきい値Ｄに達する変化を生じることが予想されるので、断電時間を短く設定する。その後はステップＳ８に移行する。
【００４３】
また、ステップＳ１７′において、変化量の絶対値｜Δｄ｜が基準値β未満であり「ＮＯ」と判断すると、「ｔ７経過？」の判断ステップＳ２１に移行する。判断ステップＳ２１においては、マイコン１は、温度センサ３に対する断電時間を設定時間ｔ７（例えば２分）に設定して、その設定時間ｔ７が経過するまで待つ。この状態は、温度センサ３の検出値ｄがしきい値Ｄの近傍で且つ変化量Δｄが小さい場合であり、ステップＳ２０の場合に比較すれば検出値ｄがしきい値Ｄに達する変化を生じる可能性は低いので、断電時間を少し長めに設定する。その後は、ステップＳ８に移行する。
【００４４】
一方、判断ステップＳ１９において、前記差｜ｄ−Ｄ｜が基準値α以上であり「ＹＥＳ」と判断すると、「｜Δｄ｜≧β？」の判断ステップＳ１８′に移行する。そして、ステップＳ１８′において、ステップＳ１５で得た変化量の絶対値｜Δｄ｜が設定値β未満であり「ＮＯ」と判断すると、「ｔ６経過？」の判断ステップＳ２２に移行する。
【００４５】
判断ステップＳ２２においては、マイコン１は、温度センサ３に対する断電時間を設定時間ｔ６（例えば５分）に設定して、その設定時間ｔ６が経過するのを待つ。この状態は、温度センサ３の検出値ｄがしきい値Ｄの近傍でなく且つ変化量Δｄが小さい場合であり、短時間内に検出値ｄがしきい値Ｄに達する変化を生じることはないと予想されるので、断電時間を長く設定する。その後はステップＳ８に移行する。
【００４６】
また、ステップＳ１８′において、｜Δｄ｜が基準値β未満であり「ＹＥＳ」と判断すると、ステップＳ２１に移行する。この状態は、温度センサ３の検出値ｄがしきい値Ｄの近傍でなく且つ変化量Δｄが大きい場合であり、断電時間は、ステップＳ１７で「ＮＯ」と判断した場合と同様に、設定時間ｔ７（ｔ６＞ｔ７＞ｔ８）（例えば２分）に設定される。
【００４７】
以上のように第４実施例によれば、マイコン１は、温度センサ３の検出値ｄとしきい値Ｄとの差が基準値α以上であり且つ変化量Δｄが基準値β未満の場合は、温度センサ３に対する断電時間を長く設定し、検出値ｄとしきい値Ｄとの差が基準値α未満であり且つ変化量Δｄが基準値β以上の場合は、温度センサ３に対する断電時間を短く設定するので、室内の温度変化に対する追従性をより高めることができる。
【００４８】
次に、本発明の第５実施例について、図７を参照して異なる作用につき説明する。第１乃至第４実施例においてマイコン１は、ステップＳ２で、温度センサ３に設定時間ｔ１（０．５秒）の間通電して、その間に複数回サンプリングした温度の平均を求めて検出値ｄを得ているのに対し、第５実施例においては、換気扇の自動運転時の少なくとも停止中に検出値ｄを得る場合は、マイコン１は、通常は図７に示すように、温度センサ３に短い設定時間ｔ９（例えば０．１秒）だけ通電して、その間でサンプリングした値によって平均を得て求める。そして、今回最初にサンプリングした値ｄ１と前回の検出値ｄ´との差をΔｄ１（＝ｄ１−ｄ´）として求めると、その差Δｄ１を基準値γと比較する。而して、Δｄ１≧γである場合は、その回の温度センサ３に対する通電時間をｔ１０（例えば０．５秒）に延ばして、平均を取るサンプル数を増やすようにする。
【００４９】
これは、差Δｄ１が大きい場合（≧γ）は温度が急激に変化した場合であり、この温度の変化が突発的，一時的な原因によるものか、ガスコンロなどの使用によるものかを確認するためであり、温度センサ３に対する通電時間を延ばし、サンプル数を増やして平均を取る。差Δｄ１が小さい場合（＜γ）は、通電時間を短くしてサンプル数を減らしても問題はない。
【００５０】
以上のように第５実施例によれば、マイコン１は、換気扇の自動運転時の停止中における温度センサ３に対する通電時間を通常は短くして、少ないサンプル数から平均をとって検出値ｄを求め、今回最初にサンプリングした値ｄ１と前回の検出値ｄ´との差Δｄ１が基準値γ以上となった場合は、温度センサ３に対する通電時間を長くして、平均をとるサンプル数を増やして検出値ｄを得るようにしたので、温度の誤検出を防止すると共に、通常状態での通電時間を減少させて温度センサ３の寿命を一層長期化することができる。
【００５１】
次に、本発明の第６実施例について、図８を参照して異なる作用につき説明する。例えば第１実施例においてマイコン１は、換気扇の温度センサ３による自動運転時の停止中においては温度センサ３に対する断電時間を設定時間ｔ２に設定しているが、ここで、使用者が設定キー５によって、しきい値Ｄの設定を変更した場合を考える。先ず、当初のしきい値Ｄの設定値がＤ０であり、使用者が、図８に示す時点▲２▼において、設定をＤ０からＤ１に変更したとする。
【００５２】
すると、マイコン１は、前回の温度センサ３の検出値ｄ（▲１▼参照）と変更された設定値Ｄ１との差ΔＤ１（＝Ｄ１−ｄ）を求める。その差ΔＤ１が、基準値δより大であれば（ΔＤ１＞δ）、マイコン１は、温度センサ３に対する断電時間を設定時間ｔ２のままにする（▲３▼参照）。
【００５３】
その後、使用者が、時点▲５▼において、設定をＤ１からＤ２に変更したとする。すると、マイコン１は、前回の温度センサ３の検出値ｄ（▲４▼参照）と変更された設定値Ｄ２との差ΔＤ２（＝Ｄ２−ｄ）を求め、その差ΔＤ２が、基準値δ以下であれば（ΔＤ２≦δ）、設定時間ｔ２が経過しておらずとも、その時点で直ちに温度センサ３に通電を行って検出値ｄを得るようにする。
【００５４】
これは、使用者がしきい値Ｄの設定を低い方に変更する場合は、使用者は、その時点から比較的短時間内に、室内の温度が上昇する状態になることを予想しており、それに伴って、換気扇の運転が開始されることを期待していると想定されるからである。
【００５５】
従って、温度センサ３に変更されたしきい値Ｄと前回の検出値ｄとの差が基準値δ以内の場合は、直ちに温度センサ３に通電を行って、その時点での室内の温度を検出して、変更されたしきい値Ｄを超えている場合は、換気扇の運転を開始させるようにする。また、その時点で検出した温度が変更されたしきい値Ｄを超えていない場合は、以降の温度センサ３の断電時間は再び設定時間ｔ２とする。以上のように第６実施例によれば、換気扇の自動運転時の停止中において、使用者が、設定キー５によってしきい値Ｄの設定をＤ２に変更した場合に、その変更されたしきい値Ｄ２と前回の温度センサ３の検出値ｄとの差が基準値δ以内であれば、断電時間の設定時間ｔ２が経過していなくとも、直ちに温度センサ３に対して通電を行うので、しきい値Ｄの設定の変更に伴って実際に温度が上昇しつつある場合には、直ぐに換気扇の運転を開始させることができる。
【００５６】
次に、本発明の第７実施例について、図９を参照して異なる作用につき説明する。第１実施例においては、換気扇の自動運転時の停止中は温度センサ３に対する断電時間は短い設定時間ｔ２に設定され、自動運転時の運転中は温度センサ３に対する断電時間は長い設定時間ｔ３に設定したが、第７実施例では、図９（ａ）に示すように、換気扇の停止中は温度センサ３に対して連続通電を行うようにする。
【００５７】
以上のように第７実施例によれば、第１実施例に比して温度センサ３に対する通電時間は長くなるが、それに代えて、自動運転時の停止中における温度の変化に対する追従性をより向上させることができる。
【００５８】
本発明は、上記しかつ図面に記載した実施例にのみ限定されるものではなく、次のような変形または拡張が可能である。
設定時間ｔ１乃至ｔ１０は、各実施例において例示したものに限らず、各時間の大小関係を維持する範囲で適宜変更して良い。
第２または第３実施例における設定時間ｔ３及びｔ４は、ｔ３＞ｔ４のように設定しても良い。
第２または第３実施例におけるステップＳ７及びＳ１２は、設定時間ｔ３及びｔ４が等しい場合は共通化しても良い。
【００５９】
第２実施例においては、ステップＳ１３及びＳ７を必要に応じて設ければ良く、削除した場合には、換気扇の運転中における温度センサ３の断電時間は、常に設定時間ｔ５に設定しても良い。これは、既に運転状態にある換気扇を停止させる際の、温度変化に対する追従性についての使用者の要求は、停止状態にある換気扇を運転開始させる際の追従性に比べて厳しくないからである。従って、換気扇の運転中における追従性を若干低下させるが、温度センサ３の寿命をより長期化することができる。
また、上記と同様の理由によって、第３実施例においても、ステップＳ１８及びＳ７を削除しても良く、更に、第４実施例においても、ステップＳ１８を削除しても良い。
【００６０】
第６実施例において、使用者によって変更されたしきい値Ｄ２と前回の温度センサ３の検出値ｄとの差が基準値δ以内であれば、直ちに温度センサ３に対して通電を行うようにしたが、使用者によってしきい値の設定が変更された場合は、その時点で、無条件で温度センサ３に対して通電を行うようにしても良い。
第６実施例を第２乃至第４実施例に適用しても良い。
センサは、温度センサ３に限らず、湿度センサ，ガス（水蒸気）センサ，煙りセンサ，炎センサなどでも良い。また、センサを適宜変更することによって、居間用や浴室用換気扇に適用しても良い。
【００６１】
【発明の効果】
本発明は以上説明した通りであるので、以下の効果を奏する。
請求項１記載の換気扇の制御装置によれば、自動運転制御手段は、センサに対して設定時間が経過する毎に通電して検出動作を行わせ、自動運転時における換気扇の停止中は設定時間を短く、換気扇の運転中は設定時間を長くするように制御するので、従来技術に比して、センサの寿命を長期化させることができると共に、省電力化を図ることができ、しかも、室内の急激な空気の状態変化に対する追従性を極力良くすることができる。
【００６２】
請求項２記載の換気扇の制御装置によれば、自動運転制御手段は、自動運転時の少なくとも停止中において、センサの検出値としきい値との差が基準値以上の場合は、設定時間を長くするので、空気の状態変化に対する追従性を低下させること無く、センサの寿命をより長期化することができる。
【００６３】
請求項３記載の換気扇の制御装置によれば、自動運転制御手段は、自動運転時の少なくとも停止中において、センサの検出値の変化量が基準値以上の場合は設定時間を長くするので、空気の状態の変化量に応じてセンサの断電時間を変更できて、第２実施例と同様の効果が得られる。
【００６４】
請求項４記載の換気扇の制御装置によれば、自動運転制御手段は、自動運転時の少なくとも停止中において、センサの検出値としきい値との差が基準値以上で且つセンサの検出値の変化量が基準値未満の場合は設定時間を長くすると共に、センサの検出値としきい値との差が基準値未満で且つセンサの検出値の変化量が基準値以上の場合は設定時間を短くするので、空気の状態変化に対する追従性をより高めることができる。
【００６７】
請求項５記載の換気扇の制御装置によれば、自動運転制御手段は、センサに対する通電による検出動作を、換気扇の自動運転時の停止中は連続的に行い、自動運転時の運転中は設定時間が経過する毎に行なうように制御するので、換気扇の停止中における室内の空気の状態変化に対する追従性を、より一層向上させることができる。
【図面の簡単な説明】
【図１】本発明の第１実施例を示すマイクロコンピュータの制御内容のフローチャート
【図２】タイミングチャート
【図３】電気的構成を示すブロック図
【図４】本発明の第２実施例を示す図１相当図
【図５】本発明の第３実施例を示す図１相当図
【図６】本発明の第４実施例を示す図１相当図
【図７】本発明の第５実施例を示す図２相当図
【図８】本発明の第６実施例を示す図２相当図
【図９】本発明の第７実施例を示す図２相当図
【符号の説明】
１はマイクロコンピュータ（自動運転制御手段）、３は温度センサ（センサ）、５は設定キー（設定手段）、９は制御装置を示す。
【図１】
0003571425.tif 000002
【図２】
0003571425.tif 000003
【図３】
0003571425.tif 000004
【図４】
0003571425.tif 000005
【図５】
0003571425.tif 000006
【図６】
0003571425.tif 000007
【図７】
0003571425.tif 000008
【図８】
0003571425.tif 000009
【図９】
0003571425.tif 000010